(57)【要約】      （修正有）【課題】読取部の読取領域に対応する透明部材上に媒体を押し付けて搬送する際に、媒体の搬送抵抗が高まることによる媒体の搬送不良の発生を抑制する画像読取装置を提供する。【解決手段】透明部材５４を介して媒体を読み取る第１読取部１６、及び媒体をコイルバネ３３により透明部材５４に向けて押さえる押さえ部材４０を備えるスキャナーユニットにおいて、押さえ部材４０は、第１読取領域Ｒ１よりも下流において透明部材５４に接触する接触部４１と、第１読取領域Ｒ１を含む、接触部４１よりも上流において、接触部４１よりも透明部材５４から離間する方向に位置し、押さえ部材４０と透明部材５４との間に媒体を搬送可能な間隙Ａを隔てて形成された間隔形成面４２とを備える。コイルバネ３３による押さえ部材４０の押圧位置Ｂは、媒体搬送方向において、接触部４１の位置とずれている。【選択図】図３
2020092380.tif 000002
【特許請求の範囲】
【請求項１】
第１経路面と、前記第１経路面と対向する第２経路面との間で媒体を搬送する経路を形成する搬送経路と、
前記第１経路面の一部を形成する透明部材と、
前記搬送経路を搬送される前記媒体を、前記透明部材を介して読み取る読取部と、
前記媒体を前記透明部材に向けて押さえる押さえ部材と、
前記押さえ部材を前記透明部材に向けて押圧する押圧部材と、を備え、
前記押さえ部材は、
前記読取部による読取領域よりも媒体搬送方向の下流において前記透明部材に接触する接触部と、
前記読取領域を含む、前記接触部よりも前記媒体搬送方向の上流において、前記接触部よりも前記透明部材から離間する方向に位置し、前記押さえ部材と前記透明部材との間に前記媒体を搬送可能な間隙を隔てて形成された間隔形成面と、を備え、
前記押圧部材による前記押さえ部材の押圧位置は、前記媒体搬送方向において、前記接触部の位置とずれている、
ことを特徴とする画像読取装置。
【請求項２】
請求項１に記載の画像読取装置において、
前記押圧位置は、前記媒体搬送方向において前記間隔形成面と重なる、ことを特徴とする画像読取装置。
【請求項３】
請求項２に記載の画像読取装置において、
前記押さえ部材は、前記押圧位置よりも前記媒体搬送方向の上流を回動支点として、前記接触部が前記押圧部材による押圧力に抗して前記透明部材から離れる方向に回動可能に構成されている、
ことを特徴とする画像読取装置。
【請求項４】
請求項１から請求項３のいずれか一項に記載の画像読取装置において、
前記押さえ部材は、前記媒体搬送方向と交差する幅方向において前記間隔形成面の両側に設けられ、媒体搬送領域の前記幅方向の外側において前記第１経路面と当接する足部を備える、
ことを特徴とする画像読取装置。
【請求項５】
請求項４に記載の画像読取装置において、
前記読取領域の上流の前記透明部材にシート材を備える、
ことを特徴とする画像読取装置。
【請求項６】
請求項１から請求項５のいずれか一項に記載の画像読取装置において、
前記押さえ部材は、前記媒体搬送方向において前記接触部と前記間隔形成面とを繋ぐ傾斜面を備える、
ことを特徴とする画像読取装置。
【請求項７】
請求項６に記載の画像読取装置において、前記接触部及び前記傾斜面は、前記媒体搬送方向と交差する幅方向において前記搬送経路の全域に亘って設けられる、
ことを特徴とする画像読取装置。
【請求項８】
請求項１から請求項７のいずれか一項に記載の画像読取装置において、
前記接触部は、前記押さえ部材の前記媒体搬送方向における下流の端部に設けられている、
ことを特徴とする画像読取装置。
【請求項９】
請求項８に記載の画像読取装置において、
前記第１経路面は、前記接触部と前記透明部材との間を通過した前記媒体を前記透明部材から離す方向に掬う掬い部材を備える、
ことを特徴とする画像読取装置。
【請求項１０】
請求項１から請求項９のいずれか一項に記載の画像読取装置において、
前記押さえ部材と前記押圧部材との間に配置されて前記押さえ部材を補強する補強部材を備え、
前記押圧部材及び前記補強部材は導電性を有し、
前記押さえ部材は、前記補強部材及び前記押圧部材を介して接地される、
ことを特徴とする画像読取装置。
【請求項１１】
請求項１から請求項１０のいずれか一項に記載の画像読取装置において、
前記押さえ部材は、前記読取部が読み取りの基準とする白基準板を備え、
前記白基準板は、シート状の透光性部材と、前記透光性部材の第１面に設けられた白色着色層と、を備えて成り、前記白色着色層と前記押さえ部材との間に配置される接着層により前記間隔形成面に接着される、
ことを特徴とする画像読取装置。
【発明の詳細な説明】
【技術分野】
【０００１】
本発明は、媒体を読み取る画像読取装置に関する。
【背景技術】
【０００２】
画像読取装置の一例であるスキャナーには、自動送り装置によって媒体トレイから媒体を搬送経路に送り出し、搬送経路の途中に設けられる読取部によって媒体を読み取り、読取部による読み取り後の媒体を排出トレイに向けて排出するように構成され、複数枚の媒体の送りと読み込みとを自動で行える様に構成されるものがある。尚、媒体の自動送り装置は、Ａｕｔｏ  Ｄｏｃｕｍｅｎｔ  Ｆｅｅｄｅｒとも呼ばれ、ＡＤＦと略される場合がある。  
特許文献１には、そのような画像読取装置の一例が記載されている。
【０００３】
読取部は、ガラス等の透明部材上を搬送される媒体の画像を読み取る。読取部によって媒体を読み取るにあたり、良好な読み取り精度を得るためには、透明部材に媒体を密接させることが望ましい。そのため、特許文献１に記載の画像読取装置の搬送経路において、読取部と対向する位置には、媒体を透明部材に向けて押さえる押さえ部材としての押え枠４９が設けられている。押え枠４９は、押圧部材としてのばね５０により透明部材に向け
【先行技術文献】
【特許文献】
【０００４】
【特許文献１】特開２０１２−１５１５７０号公報
【発明の概要】
【発明が解決しようとする課題】
【０００５】
特許文献１に記載の構成のように、押圧部材が、押さえ部材と透明部材との接触位置の上から押さえ部材を押圧していると、押さえ部材と透明部材との間に媒体が搬送される際の搬送抵抗が高くなり、例えば原稿が薄紙である場合に搬送が不良となるので、画像の読み取り精度が低下する虞がある。
【課題を解決するための手段】
【０００６】
上記課題を解決する本発明の画像読取装置は、第１経路面と、前記第１経路面と対向する第２経路面との間で媒体を搬送する経路を形成する搬送経路と、前記第１経路面の一部を形成する透明部材と、前記搬送経路を搬送される前記媒体を、前記透明部材を介して読み取る読取部と、前記媒体を前記透明部材に向けて押さえる押さえ部材と、前記押さえ部材を前記透明部材に向けて押圧する押圧部材と、を備え、前記押さえ部材は、前記読取部による読取領域よりも媒体搬送方向の下流において前記透明部材に接触する接触部と、前記読取領域を含む、前記接触部よりも前記媒体搬送方向の上流において、前記接触部よりも前記透明部材から離間する方向に位置し、前記押さえ部材と前記透明部材との間に前記媒体を搬送可能な間隙を隔てて形成された間隔形成面と、を備え、前記押圧部材による前記押さえ部材の押圧位置は、前記媒体搬送方向において、前記接触部の位置とずれている、ことを特徴とする。
【図面の簡単な説明】
【０００７】
【図１】本発明の一実施形態に係るスキャナーユニットを含む複合機の外観斜視図。
【図２】図１に示すスキャナーユニットの側断面図。
【図３】図２に示す自動送り装置の搬送経路における第１読取部周辺の側断面図。
【図４】媒体が透明部材と接触部との間を通過している状態を示す概略側断面図。
【図５】押さえ部材及び押圧部材を表す斜視図。
【図６】押さえ部材及び押圧部材を図４とは別角度から見た斜視図。
【図７】図５に示す押さえ部材及び押圧部材の分解斜視図。
【図８】自動送り装置に取り付けられた押さえ部材及び押圧部材の縦断面図。
【図９】第１読取部周辺の要部を示す拡大側断面図。
【図１０】図２に示す自動送り装置の搬送経路における第２読取部周辺の側断面図。
【発明を実施するための形態】
【０００８】
以下、本発明について概略的に説明する。  
第１の態様に係る画像読取装置は、第１経路面と、前記第１経路面と対向する第２経路面との間で媒体を搬送する経路を形成する搬送経路と、前記第１経路面の一部を形成する透明部材と、前記搬送経路を搬送される前記媒体を、前記透明部材を介して読み取る読取部と、前記媒体を前記透明部材に向けて押さえる押さえ部材と、前記押さえ部材を前記透明部材に向けて押圧する押圧部材と、を備え、前記押さえ部材は、前記読取部による読取領域よりも媒体搬送方向の下流において前記透明部材に接触する接触部と、前記読取領域を含む、前記接触部よりも前記媒体搬送方向の上流において、前記接触部よりも前記透明部材から離間する方向に位置し、前記押さえ部材と前記透明部材との間に前記媒体を搬送可能な間隙を隔てて形成された間隔形成面と、を備え、前記押圧部材による前記押さえ部材の押圧位置は、前記媒体搬送方向において、前記接触部の位置とずれている、ことを特徴とする。
【０００９】
本態様によれば、前記押さえ部材は、前記読取部による読取領域よりも媒体搬送方向の下流において前記透明部材に接触する接触部と、前記読取領域を含む、前記接触部よりも前記媒体搬送方向の上流において、前記接触部よりも前記透明部材から離間する方向に位置し、前記押さえ部材と前記透明部材との間に前記媒体を搬送可能な間隙を隔てて形成された間隔形成面とを備え、前記押圧部材による前記押さえ部材の押圧位置は、前記媒体搬送方向において、前記接触部の位置とずれているので、例えば前記接触部の位置を前記押圧位置とした場合よりも、前記接触部と前記透明部材との間の搬送抵抗を小さくすることができる。以って、前記押さえ部材と前記透明部材との間を通る媒体の搬送不良の虞を低減し、画像の読み取り精度の低下を回避することができる。
【００１０】
第２の態様は、第１の態様において、前記押圧位置は、前記媒体搬送方向において前記間隔形成面と重なる、ことを特徴とする。
【００１１】
本態様によれば、前記押圧部材による前記押さえ部材の押圧位置は、前記媒体搬送方向において前記間隔形成面と重なるので、前記押圧位置と前記接触部の位置とが確実にずれて配置され、第１の態様の作用効果を確実に得ることができる。
【００１２】
第３の態様は、第２の態様において、前記押さえ部材は、前記押圧位置よりも前記媒体搬送方向の上流を回動支点として、前記接触部が前記押圧部材による押圧力に抗して前記透明部材から離れる方向に回動可能に構成されている、ことを特徴とする。
【００１３】
本態様によれば、前記押さえ部材は、前記押圧位置よりも前記媒体搬送方向の上流に回動軸を有し、前記接触部が前記押圧部材による押圧力に抗して前記透明部材から離れる方向に回動可能に構成されているので、前記媒体が前記接触部と前記透明部材との間を通過する場合に、前記接触部が前記透明部材から離れる方向に容易に逃げることが可能となり、前記媒体の搬送抵抗を低減することができる。
【００１４】
第４の態様は、第１の態様から第３の態様のいずれかにおいて、前記押さえ部材は、前記媒体搬送方向と交差する幅方向において前記間隔形成面の両側に設けられ、媒体搬送領域の前記幅方向の外側において前記第１経路面と当接する足部を備える、ことを特徴とする。
【００１５】
本態様によれば、前記押さえ部材は、前記媒体搬送方向と交差する幅方向において前記間隔形成面の両側に設けられ、媒体搬送領域の前記幅方向の外側において前記透明部材と当接する足部を備えるので、前記間隔形成面と前記透明部材との間に前記媒体を搬送可能な前記間隙を確実に形成することができる。
【００１６】
第５の態様は、第４の態様において、前記読取領域の上流の前記透明部材にシート材を備える、ことを特徴とする。
【００１７】
本態様によれば、前記シート材によって、前記透明部材の前記読取領域に対応する部位に前記媒体が直接接触することを抑制することができる。
【００１８】
第６の態様は、第１の態様から第５の態様のいずれかにおいて、前記押さえ部材は、前記媒体搬送方向において前記接触部と前記間隔形成面とを繋ぐ傾斜面を備える、ことを特徴とする。
【００１９】
本態様によれば、前記押さえ部材は、前記媒体搬送方向において前記接触部と前記間隔形成面とを繋ぐ傾斜面を備えるので、前記間隙を搬送される前記媒体を、前記接触部と前記透明部材との間に導くことができる。
【００２０】
第７の態様は、第６の態様において、前記接触部及び前記傾斜面は、前記媒体搬送方向と交差する幅方向において前記搬送経路の全域に亘って設けられる、ことを特徴とする。
【００２１】
本態様によれば、前記接触部及び前記傾斜面は、前記媒体搬送方向と交差する幅方向において前記搬送経路の全域に亘って設けられるので、前記媒体を一層確実に前記接触部と前記透明部材との間に導くことができる。
【００２２】
第８の態様は、第１の態様から第７の態様のいずれかにおいて、前記接触部は、前記押さえ部材の前記媒体搬送方向における下流の端部に設けられている、ことを特徴とする。
【００２３】
本態様によれば、前記接触部は、前記押さえ部材の前記媒体搬送方向における下流の端部に設けられているので、前記押圧位置からの距離をより長く確保することができる。以って、前記接触部と前記透明部材との間を前記媒体が通る際に前記押さえ部材が傾き易くなり、前記媒体の搬送抵抗を一層低減できる。
【００２４】
第９の態様は、第８の態様において、前記第１経路面は、前記接触部と前記透明部材との間を通過した前記媒体を前記透明部材から離す方向に掬う掬い部材を備える、ことを特徴とする。
【００２５】
本態様によれば、前記第１経路面に設けられた前記掬い部材により、前記接触部と前記透明部材との間を通過した前記媒体を前記透明部材から離す方向に掬って前記媒体を下流に向けて搬送することができる。前記媒体は、前記接触部と前記透明部材との間を抜けてすぐ、すなわち、前記接触部に近い位置で掬う方が前記搬送経路における媒体の詰まりを回避できる。本態様においては、前記接触部が、前記押さえ部材の前記媒体搬送方向における下流の端部に設けられているので、前記接触部と前記掬い部材との間の距離を短くすることができる。
【００２６】
第１０の態様は、第１の態様から第９の態様のいずれかにおいて、前記押さえ部材と前記押圧部材との間に配置されて前記押さえ部材を補強する補強部材を備え、前記押圧部材及び前記補強部材は導電性を有し、前記押さえ部材は、前記補強部材及び前記押圧部材を介して接地される、ことを特徴とする。
【００２７】
本態様によれば、前記押さえ部材は、導電性を有する前記補強部材及び前記押圧部材を介して接地されるので、前記補強部材によって前記押さえ部材の補強と接地の双方を実現することができ、装置を構成する部品点数を削減することができる。
【００２８】
第１１の態様は、第１の態様から第１０の態様のいずれかにおいて、前記押さえ部材は、前記読取部が読み取りの基準とする白基準板を備え、前記白基準板は、シート状の透光性部材と、前記透光性部材の第１面に設けられた白色着色層と、を備えて成り、前記白色着色層と前記押さえ部材との間に配置される接着層により前記間隔形成面に接着される、ことを特徴とする。
【００２９】
本態様によれば、前記白基準板は、シート状の透光性部材と、前記透光性部材の第１面に設けられた白色着色層と、を備えて成り、前記白色着色層と前記押さえ部材との間に配置される接着層により前記間隔形成面に接着されるので、前記白基準板の前記押さえ部材への取り付けを容易に行うことができる。
【００３０】
［第１実施形態］
本発明の一実施形態に係る画像読取装置について、図を参照しつつ説明する。画像読取装置の一例として、スキャナーユニット１０を例に挙げる。  
各図において示すＸ−Ｙ−Ｚ座標系は、Ｙ軸方向がスキャナーユニット１０における媒体搬送方向に沿う方向であり、媒体搬送方向と交差するＸ軸方向が媒体の幅方向となる。また、Ｚ方向が装置高さ方向である。−Ｘ方向を装置前方とし、＋Ｘ方向側を装置後方とする。また、媒体搬送方向に向かう先を下流と言い、その反対を上流と言う。
【００３１】
＜＜＜スキャナーユニットを有する複合機の概要＞＞＞
主として図１を参照して、画像読取装置としてのスキャナーユニット１０を有する複合機１について説明する。  
図１に示す複合機１は、記録ユニット２と、記録ユニット２の上部に設けられるスキャナーユニット１０とを有し、記録機能と画像読取機能の双方を備えている。
【００３２】
また、図１に示す複合機１の前方の上部には、操作部６が設けられている。操作部６には、液晶パネル等の表示手段が設けられている。また、操作部６を操作することにより、複合機１に対して記録ユニット２における記録動作、及びスキャナーユニット１０における画像読取動作の指示を入力できる。
【００３３】
複合機１において記録ユニット２は、記録用紙を収容する複数の用紙収容カセット３を下部に備えている。記録ユニット２の内部には記録部４が設けられ、用紙収容カセット３から搬送される記録用紙に対して記録部４により記録が実行される。記録後の記録用紙は排出部７から排出されて、記録ユニット用排出トレイ５に載置される。複合機１において排出部７及び記録ユニット用排出トレイ５は、装置高さ方向であるＺ軸方向において、スキャナーユニット１０と用紙収容カセット３の間に設けられている。
【００３４】
＜＜＜スキャナーユニットについて＞＞＞
以下、主として図２を参照してスキャナーユニット１０について説明する。  
スキャナーユニット１０は、図２に示す原稿台としての透明部材１４にセットされた原稿を読み取るスキャナー本体１１と、給送トレイ２０に載置される原稿（媒体Ｐ）を自動で搬送して読み取り可能な自動送り装置１２と、を備えている。
【００３５】
スキャナー本体１１の上部に設けられる自動送り装置１２は、図１において実線で示すように、スキャナー本体１１の透明部材１４（図２）に対して閉じた姿勢と、図１において点線で示すように、透明部材１４を開放する姿勢とを切換え可能に構成されている。言い換えると、自動送り装置１２は、スキャナー本体１１の後方（−Ｘ方向）を回動支点としてスキャナー本体１１に対して開閉可能に接続されている。
【００３６】
図２に示すスキャナー本体１１には、第１読取部１６が設けられている。第１読取部１６は、第１読取部１６は透明部材１４の下方に設けられ、Ｙ軸方向に移動可能に構成されており、透明部材１４に載置された原稿を読み取ることができる。第１読取部１６には、例えばＣＩＳ方式やＣＣＤ方式等の光学式読取部が用いられている。透明部材１４は、一例として無色透明のガラスで形成されている。
【００３７】
自動送り装置１２の下面には、透明部材１４に載置された媒体を押さえる押さえ板１５が設けられている。自動送り装置１２を開いて露呈させた透明部材１４に媒体を載置し、自動送り装置１２を閉じて押さえ板１５によって媒体を押えた状態で、第１読取部１６をＹ軸方向に移動させることにより媒体の画像を読み取ることができる。
【００３８】
また、第１読取部１６は、透明部材１４に載置された媒体の読み取りだけでなく、自動送り装置１２によって搬送される媒体の読み取りが可能である。  
図２において符号Ｔで示す一点鎖線は、自動送り装置１２における媒体Ｐの搬送経路３０に沿って記載されている。搬送経路３０は、「第１経路面」としての外側経路面３１と、外側経路面３１と対向する「第２経路面」としての内側経路面３２との間で媒体Ｐを搬送する経路である。
【００３９】
搬送経路３０は、後述するピックローラー２１によってピックアップされた媒体Ｐが排出トレイ２９に排出されるまでの経路である。  
自動送り装置１２においては、第１読取部１６と後述する第２読取部１８により、媒体Ｐの両面の読み取りが可能に構成されている。
【００４０】
自動送り装置１２における給送前の媒体Ｐは、媒体載置部としての給送トレイ２０に載置される。給送トレイ２０に載置された媒体Ｐの＋Ｙ側、すなわち、媒体Ｐの給送方向の先端付近の上方には、ピックローラー２１が設けられている。ピックローラー２１の給送方向の下流側である＋Ｙ側には、給送ローラー２２が設けられている。
【００４１】
ピックローラー２１は、給送トレイ２０上の媒体Ｐから離間する離間状態と、給送トレイ２０上の媒体Ｐと接触する接触状態とを切り換え可能に構成されている。図２に示すピックローラー２１は離間状態になっている。ピックローラー２１は接触状態において給送トレイ２０に載置された媒体Ｐをピックアップして搬送経路３０に送り出す。
【００４２】
ピックローラー２１によって送り出された媒体Ｐは、給送ローラー２２によって更に下流に搬送される。給送ローラー２２の下方である−Ｚ方向には、分離ローラー２３が配置されている。分離ローラー２３は、ピックローラー２１によってピックアップされた媒体Ｐが２枚以上である場合に、給送ローラー２２との間で媒体Ｐをニップして１枚に分離する。給送ローラー２２及び分離ローラー２３の下流には、給送ローラー２２及び分離ローラー２３から媒体Ｐを受けて搬送する第１搬送ローラー対２４が設けられている。
【００４３】
搬送経路３０は、第１搬送ローラー対２４の下流において湾曲している。媒体Ｐは、第１搬送ローラー対２４の下流に設けられる第２搬送ローラー対２５及び第３搬送ローラー対２６によって搬送経路３０を搬送される間に湾曲反転される。  
そして、第３搬送ローラー対２６の下流おいて、第１読取部１６と第２読取部１８による媒体Ｐの読み取りが行われる。第１読取部１６は、給送トレイ２０に載置された状態の媒体Ｐの上面を読み取り、第２読取部１８は、給送トレイ２０に載置された状態の媒体Ｐの下面を読み取る。  
搬送経路３０における、第１読取部１６及び第２読取部１８の周辺の構成については、後で詳しく説明する。
【００４４】
搬送経路３０において、第１読取部１６と第２読取部１８との間には、媒体Ｐを搬送する第４搬送ローラー対２７が設けられている。また、第２読取部１８の下流には、排出ローラー対２８が設けられている。第１読取部１６或いは第２読取部１８による読み取り後の媒体Ｐは、排出ローラー対２８によって排出トレイ２９に排出される。
【００４５】
排出トレイ２９は、排出ローラー対２８によって排出された媒体Ｐを傾斜姿勢で受けるように構成されている。  
尚、本実施形態において、搬送経路３０は媒体Ｐを湾曲反転する経路として形成されているが、搬送経路３０は、給送トレイ２０から排出トレイ２９まで媒体Ｐを湾曲反転することなく第１読取部１６及び第２読取部１８に向けて送るストレート経路でもよい。
【００４６】
＜＜＜搬送経路における第１読取部の周辺構成について＞＞＞
以下、図を参照して、搬送経路３０における第１読取部１６の周辺構成について説明する。  
図３に示されるように、外側経路面３１（第１経路面）と内側経路面３２（第２経路面）の間を媒体Ｐが搬送される搬送経路３０は経路において、外側経路面３１の一部は、原稿を載置する透明部材１４とは異なる、原稿自動送り読取用の透明部材５４によって形成されている。第１読取部１６は、透明部材５４の下方に設けられており、搬送経路３０を搬送される媒体Ｐを、透明部材５４を介して読み取る。
【００４７】
第１読取部１６は、読取センサー１６ａと、媒体搬送方向において読取センサー１６ａを挟んで両側に設けられる発光部１６ｂ、１６ｂと、を備えている。媒体搬送方向において読取センサー１６ａと対向する領域が第１読取部１６における第１読取領域Ｒ１であり、発光部１６ｂ、１６ｂから搬送経路３０の第１読取領域Ｒ１に向けて光が照射されて、読取センサー１６ａが第１読取領域Ｒ１を通過する媒体Ｐからの反射光を読み取る。
【００４８】
図３において、透明部材５４を挟んで第１読取部１６と対向する位置には、媒体Ｐを透明部材５４に向けて押さえる押さえ部材４０が設けられている。  
押さえ部材４０は、押圧部材としてのコイルバネ３３により透明部材５４に向けて押圧されている。コイルバネ３３は、一端が押さえ部材４０に設けられる補強部材６０に接触し、他端が装置内部の当接部３４に接触するように、押さえ部材４０と当接部３４との間に配置されている。補強部材６０については後で説明する。
【００４９】
押さえ部材４０は、第１読取部１６による第１読取領域Ｒ１よりも媒体搬送方向の下流において透明部材５４に接触する接触部４１を備えており、図３に示すように媒体Ｐが搬送されていない状態において、コイルバネ３３により下方に押圧された押さえ部材４０の接触部４１が透明部材５４に接触している。
【００５０】
更に、図３に示す押さえ部材４０は、第１読取領域Ｒ１を含む、接触部４１よりも媒体搬送方向の上流において、接触部４１よりも透明部材５４から離間する方向に位置し、押さえ部材４０と透明部材５４との間に媒体Ｐを搬送可能な間隙Ａを形成する間隔形成面４２と、を備えている。  
すなわち、コイルバネ３３により透明部材５４に向けて押圧される押さえ部材４０は、第１読取領域Ｒ１よりも媒体搬送方向の下流に設けられた接触部４１において透明部材５４と接触し、第１読取領域Ｒ１を含む接触部４１よりも上流の領域では、媒体Ｐが間隔形成面４２により形成された間隙Ａを搬送されるので、第１読取領域Ｒ１に搬送される媒体Ｐに押さえ部材４０からの搬送抵抗が加わる虞を回避することができる。
【００５１】
そして、コイルバネ３３による押さえ部材４０の押圧位置Ｂは、媒体搬送方向において、接触部４１の位置とずれている。この構成により、例えば接触部４１の位置を押圧位置Ｂとした場合よりも、接触部４１と透明部材５４との間の搬送抵抗を小さくすることができる。以って、押さえ部材４０と透明部材５４との間を通る媒体Ｐの搬送不良の虞を低減できる。
【００５２】
本実施形態において、押圧位置Ｂは、媒体搬送方向において間隔形成面４２と重なっている。つまり、コイルバネ３３が押さえ部材４０を間隔形成面４２の上から押圧している。この構成により、間隔形成面４２をより確実に透明部材５４に向かう方向に押圧することができる。
【００５３】
尚、搬送される媒体Ｐは、図４に示すように、コイルバネ３３の押圧力に抗して押さえ部材４０を押し上げて、押さえ部材４０と透明部材５４との間を通過する。  
押さえ部材４０は、図３に示す押圧位置Ｂよりも媒体搬送方向の上流の第１支持部４４を回動支点として、接触部４１がコイルバネ３３による押圧力に抗して透明部材５４から離れる方向に回動可能に構成されている。この構成により、図４に示すように媒体Ｐが接触部４１と透明部材５４との間を搬送される場合に、押さえ部材４０が、接触部４１が透明部材５４から離れる方向に逃げるように回動することできる。以って、媒体Ｐの搬送抵抗を低減することができる。
【００５４】
本実施形態において、第１支持部４４は、図５及び図６に示されるように、押さえ部材４０に対してＸ軸方向に間隔を空けて複数配置されている。また、図６において、押さえ部材４０の下流には、第２支持部４７が設けられている。第１支持部４４と第２支持部４７とを装置内の所定の部位に当接させることにより、押さえ部材４０の媒体搬送方向における位置を規定している。
【００５５】
また、接触部４１は、図３に示されるように押さえ部材４０の媒体搬送方向における下流の端部に設けられている。接触部４１が押さえ部材４０の下流の端部に設けられていることにより、押圧位置Ｂからの距離をより長く確保することができる。以って、接触部４１と透明部材５４との間を媒体Ｐが通る際に押さえ部材４０が図４に示すように傾き易く、媒体Ｐが接触部４１を押し退け易くなり、媒体Ｐの搬送抵抗を一層低減できる。
【００５６】
押さえ部材４０は、図３及び図４に示されるように、媒体搬送方向において接触部４１と間隔形成面４２とを繋ぐ傾斜面４３を備えている。傾斜面４３により、媒体Ｐを、間隔形成面４２によって形成された間隙Ａから接触部４１と透明部材５４との間に円滑に導くことができる。  
尚、傾斜面４３の傾斜角度は、間隔形成面４２の底に対して１０度前後に形成することができ、本実施形態においては１２度に設定されている。
【００５７】
また、押さえ部材４０において接触部４１は、図５に示されるように、媒体搬送方向と交差する幅方向であるＸ軸方向において搬送経路３０の全域に亘って設けられており、間隔形成面４２から接触部４１に連なる傾斜面４３も、幅方向の全域に亘って設けられている。  
接触部４１が幅方向に亘って設けられていることにより、例えば、媒体Ｐの幅方向における波打ち（コックリングまたはコルゲーションとも呼ばれる）を抑制し、第１読取部１６による良好な画像読み取りを行うことができる。また、接触部４１及び傾斜面４３が幅方向の全域に亘って設けられていることにより、媒体Ｐを一層確実に接触部４１と透明部材５４との間に導くことができる。
【００５８】
押さえ部材４０は、図３に示されるように第１読取部１６が読み取りの基準とする白基準板５０を備えている。本実施形態において、白基準板５０は、間隔形成面４２に設けられている。より具体的には、白基準板５０は、図９に示されるようにシート状の透光性部材５１と、透光性部材５１の第１面（図３において上側の面）に設けられた白色着色層５２と、を備えて成り、白色着色層５２と押さえ部材４０との間に配置される接着層５３により間隔形成面４２に接着される。このようにして、白基準板５０の押さえ部材４０への取り付けを容易に行うことができる。
【００５９】
尚、白基準板５０は、白色の樹脂材料で形成することもできる。白基準板５０は、接着層５３により間隔形成面４２に取り付ける他、例えば、機械的な構成の白基準板取付部を設けることもできる。
【００６０】
また、図５及び図８に示すように、押さえ部材４０は、媒体搬送方向と交差する幅方向において間隔形成面４２の両側に設けられ、媒体搬送領域の幅方向（Ｘ軸方向）の外側において透明部材５４と当接する足部４５、４５を備えている。尚、図８には、＋Ｘ側の足部４５のみが示されている。  
足部４５、４５が外側経路面３１の一部を形成する透明部材５４と当接することにより、間隔形成面４２と透明部材５４との間に媒体Ｐを搬送可能な間隙Ａを確実に形成することができる。尚、足部４５、４５の当接先は、外側経路面３１を形成する部材であればよく、透明部材５４に限られない。また、例えば、足部４５、４５を外側経路面３１側に設け、間隔形成面４２に足部４５、４５を当接させて間隙Ａを形成する構成とすることも可能である。
【００６１】
また、図５に示されるように、本実施形態において、幅方向に亘って延設された接触部４１及び傾斜面４３は、幅方向の両側の端部において＋Ｘ側及び−Ｘ側の足部４５、４５に連結されている。  
また、押さえ部材４０は、一例として樹脂材料で形成され、接触部４１、傾斜面４３、及び足部４５、４５は間隔形成面４２を囲うように一体成形されている。
【００６２】
図６及び図７に示されるように、押さえ部材４０には、コイルバネ３３との間に配置されて押さえ部材４０を補強する補強部材６０が設けられている。押さえ部材４０は、前述した様に樹脂材料により成形されており、幅方向に細長いため、幅方向における撓みや歪みが生じ易いが、補強部材６０を設けることによりこれを抑制できる。
【００６３】
補強部材６０は、図６に示されるように、複数のネジ６２により押さえ部材４０に固定されている。図７及び図８において、符号６１はネジ６２が挿入される孔部６１である。押さえ部材４０には、ネジ６２の円筒部６２ａを挿入するネジ挿入部４６が設けられている。
【００６４】
コイルバネ３３及び補強部材６０は、例えば導電性を有する金属材料で形成されており、それぞれ導電性を有している。押さえ部材４０は、補強部材６０及びコイルバネ３３を介して接地されている。  
図３に示す搬送経路３０を媒体Ｐが搬送されると、押さえ部材４０が帯電する場合がある。押さえ部材４０が帯電すると、媒体Ｐの搬送に影響が生じ、適切な搬送が行えなくなる虞があるため、押さえ部材４０は接地することが望ましい。  
本実施形態においては、補強部材６０によって、押さえ部材４０の補強と接地の双方を行うので、補強部材６０の他に接地用の構成部を設ける必要がない。したがって、装置を構成する部品点数を削減することができる。
【００６５】
次に、図３及び図４を参照して接触部４１の下流に配置される掬い部材３５について説明する。外側経路面３１（第１経路面）は、接触部４１と透明部材５４との間を通過した媒体Ｐを透明部材５４から離す方向に掬う掬い部材３５を備えている。  
掬い部材３５は、媒体搬送方向において、接触部４１の透明部材５４に対する接触位置の下流に配置されている。掬い部材３５は、図４に示されるように、透明部材５４に対して媒体搬送方向の下流に向かって上る傾斜面に形成され、媒体Ｐを下方から掬う形状を成している。
【００６６】
第１読取部１６で読み取られる媒体Ｐは、内側経路面３２側から押さえ部材４０によって透明部材５４に向けて押さえられているので、接触部４１と透明部材５４との間を通過後の媒体Ｐは、内側経路面３２側から外側経路面３１側に向けてカールする場合がある。  
掬い部材３５を備えることにより、内側経路面３２側から押さえられた媒体Ｐを外側経路面３１側から掬い、適切に搬送することができる。  
尚、掬い部材３５の傾斜角度は、透明部材５４に対して２０度前後に形成することができ、本実施形態においては一例として２３度に設定されている。
【００６７】
続いて、第１読取領域Ｒ１の上流に設けられるシート材５５について説明する。  
また、図３及び図４において、第１読取領域Ｒ１の上流の透明部材５４には、シート材５５が設けられている。  
シート材５５としては樹脂シートを用いることができ、本実施形態においては、一例としてポリオキシメチレン（ＰＯＭ）で形成された黒色の樹脂シートが用いられている。シート材５５は、図９に示す両面テープ５６により透明部材５４に接着されている。本実施形態において、シート材５５の厚みは０．２ｍｍであり、両面テープ５６の厚みと合わせて、透明部材５４よりも０．３〜０．４ｍｍ程度高くなるように構成されている。
【００６８】
第１読取領域Ｒ１の上流にシート材５５が設けられていることにより、図４に示すように搬送される媒体Ｐを、透明部材５４の第１読取領域Ｒ１に対応する部位に直接接触することなく搬送することができる。以って、透明部材５４の第１読取領域Ｒ１に対応する部位が汚れる虞を低減できる。
【００６９】
尚、前述した足部４５は、シート材５５と間隔形成面４２との間を媒体Ｐが通過可能な距離Ｃ（図９）にする長さに形成される。本実施形態においては、図９に示されるように間隔形成面４２に白基準板５０が設けられているので、白基準板５０とシート材５５との間の距離Ｃを媒体Ｐが通過可能な距離に設定している。
【００７０】
＜＜＜搬送経路における第２読取部の周辺構成について＞＞＞
搬送経路３０における第２読取部１８の周辺構成は、図１０に示されるように、第１読取部１６の上下を逆転させた構成になり、基本的には第１読取部１６の周辺構成と同様であるため、詳細な説明は省略する。  
尚、前述した第１読取部１６の周辺構成についての説明では、第１経路面を外側経路面３１、第２経路面を内側経路面３２としたが、第２読取部１８の周辺構成を説明する場合には、上下を逆転するので、第１経路面を内側経路面３２、第２経路面を外側経路面３１とする。
【００７１】
以下、第１読取部１６の周辺構成に対応させて、第２読取部１８の周辺構成について説明する。第１読取部１６に対応する第２読取部１８は、読取センサー１８ａと、発光部１８ｂ、１８ｂを備えている。内側経路面３２の一部は透明部材８０により形成されており、第２読取部１８は、透明部材８０を介して搬送経路３０を搬送される媒体Ｐを読み取る。媒体搬送方向において、読取センサー１８ａと重なる領域が、第２読取部１８による第２読取領域Ｒ２である。
【００７２】
搬送経路３０を挟んで第２読取部１８と対向する位置には、外側経路面３１側から媒体Ｐを透明部材８０に向けて押さえる押さえ部材７０が設けられている。押さえ部材７０は、押さえ部材４０における接触部４１、間隔形成面４２、傾斜面４３、第１支持部４４に対応する接触部７１、間隔形成面７２、傾斜面７３、第３支持部７４を備えている。
【００７３】
押さえ部材７０は、補強部材７５により補強されており、押圧部材としてのコイルバネ８１により補強部材７５を介して透明部材８０に向けて押圧されている。  
間隔形成面４２には白基準板８２が設けられている。第２読取領域Ｒ２の上流には、透明部材８０にシート材８３が設けられている。
【００７４】
尚、スキャナーユニット１０は、自動送り装置１２の搬送経路３０に第２読取部１８を設けず、第１読取部１６による読み取り後の媒体Ｐを反転して再び第１読取部１６による第１読取領域Ｒ１に送る反転経路を設ける構成とすることもできる。
【００７５】
その他、本発明は上記において説明した実施形態に限定されることなく、特許請求の範囲に記載した発明の範囲内で種々の変形が可能であり、それらも本発明の範囲内に含まれるものであることは言うまでもない。
【符号の説明】
【００７６】
１…複合機、２…記録ユニット、３…用紙収容カセット、４…記録部、５…記録ユニット用排出トレイ、６…操作部、７…排出部、１０…スキャナーユニット（画像読取装置）、１１…スキャナー本体、１２…自動送り装置、１４…透明部材、１６…第１読取部、１６ａ…読取センサー、１６ｂ…発光部、１８…第２読取部、２０…給送トレイ、２１…ピックローラー、２２…給送ローラー、２３…分離ローラー、２４…第１搬送ローラー対、２５…第２搬送ローラー対、２６…第３搬送ローラー対、２７…第４搬送ローラー対、２８…排出ローラー対、２９…排出トレイ、３０…搬送経路、３１…外側経路面、３２…内側経路面、３３…コイルバネ（押圧部材）、３４…当接部、３５…掬い部材、４０…押さえ部材、４１…接触部、４２…間隔形成面、４３…傾斜面、４４…第１支持部、４５…足部、４６…ネジ挿入部、４７…第２支持部、５０…白基準板、５１…透光性部材、５２…白色着色層、５３…接着層、５４…透明部材、５５…シート材、５６…両面テープ、６０…補強部材、６１…孔部、７０…押さえ部材、７１…接触部、７２…間隔形成面、７３…傾斜面、７４…第３支持部、７５…補強部材、８０…透明部材、８１…コイルバネ、８２…白基準板、８３…シート材、Ｐ…媒体、Ｒ１…第１読取領域、Ｒ２…第２読取領域、Ａ…間隙、Ｂ…押圧位置
【図１】
2020092380.tif 000003
【図２】
2020092380.tif 000004
【図３】
2020092380.tif 000005
【図４】
2020092380.tif 000006
【図５】
2020092380.tif 000007
【図６】
2020092380.tif 000008
【図７】
2020092380.tif 000009
【図８】
2020092380.tif 000010
【図９】
2020092380.tif 000011
【図１０】
2020092380.tif 000012